(57)【要約】【課題】タッチスクリーンディスプレイを含む装置をアイドル／ロック状態からアクティブ／ロック解除状態に効率的に切り替える装置及び方法を提供する。【解決手段】本発明のタッチスクリーンディスプレイを含む装置をロック解除する方法は、タッチスクリーンの入力を感知するステップと、入力が装置のロックを解除する要求に該当するか否かを決定するステップと、入力が装置の機能と関連があるか否かを決定するステップと、入力が装置のロックを解除する要求に該当する場合に装置をロック解除するステップと、入力が装置の機能と関連がある場合に入力に関連するアプリケーションをロードするステップと、を有する。【選択図】図３
2013045470.tif 000002
【特許請求の範囲】
【請求項１】
タッチスクリーンディスプレイを含む装置をロック解除する方法であって、
タッチスクリーンの入力を感知するステップと、
前記入力が前記装置のロックを解除する要求に該当するか否かを決定するステップと、
前記入力が前記装置の機能と関連があるか否かを決定するステップと、
前記入力が前記装置のロックを解除する要求に該当する場合に前記装置をロック解除するステップと、
前記入力が前記装置の機能と関連がある場合に前記入力に関連するアプリケーションをロードするステップと、を有することを特徴とするロック解除方法。
【請求項２】
前記装置は、携帯端末であることを特徴とする請求項１に記載のロック解除方法。
【請求項３】
前記入力は、前記タッチスクリーンのタッチに対応するジェスチャ、及び前記タッチスクリーンでタッチの特定の動きのうちの少なくとも１つであることを特徴とする請求項２に記載のロック解除方法。
【請求項４】
前記装置のロックを解除する要求として少なくとも１つのジェスチャを保存するステップと、
該当する特定の機能に関連する少なくとも１つのジェスチャをそれぞれ連結するステップと、を更に含むことを特徴とする請求項３に記載のロック解除方法。
【請求項５】
前記少なくとも１つのジェスチャは該当形状を形成するための前記タッチスクリーンでのタッチの動きを含み、
前記該当形状は、正方形、三角形、円形、及び８字形のうちの少なくとも１つ以上を含むことを特徴とする請求項４に記載のロック解除方法。
【請求項６】
予め定義されたアプリケーションに連結された少なくとも１つのアイコンを表示するステップを更に含むことを特徴とする請求項２に記載のロック解除方法。
【請求項７】
前記タッチスクリーンの予め定義された領域で前記選択されたアイコンのドラッグに該当するジェスチャによって後続する前記少なくとも１つ以上の表示されたアイコンのうちの１つを選択することは、前記装置をロック解除する要求に該当し、
前記入力に関連するアプリケーションは、前記タッチスクリーンの予め定義された領域にドラッグされたアイコンに連結されたアプリケーションに該当することを特徴とする請求項６に記載のロック解除方法。
【請求項８】
前記少なくとも１つ以上の表示されたアイコンのうちの１つが円を描くジェスチャに該当するタッチは、前記少なくとも１つ以上の表示されたアイコンのうちの１つを選択することに該当することを特徴とする請求項７に記載のロック解除方法。
【請求項９】
前記少なくとも１つ以上の表示されたアイコンのうちの１つに対応する前記タッチスクリーン領域でのタッチは、
前記少なくとも１つ以上の表示されたアイコンのうちの１つを選択することに該当することを特徴とする請求項７に記載のロック解除方法。
【請求項１０】
前記装置をロック解除する要求として少なくとも１つのジェスチャを保存するステップと、
該当する特定の機能と少なくとも１つのジェスチャのそれぞれを連結するステップと、を更に含むことを特徴とする請求項６に記載のロック解除方法。
【請求項１１】
ロック状態からロック解除状態に切り替える装置であって、
タッチスクリーンと、
前記タッチスクリーンの入力を感知し、前記入力が前記装置のロックを解除する要求に該当するか否かを決定し、前記入力が前記装置の機能と関連があるか否かを決定し、前記入力が前記装置のロックを解除する要求に該当する場合に前記装置をロック解除し、前記入力が前記装置の機能と関連がある場合に前記入力に関連するアプリケーションをロードする少なくとも１つ以上の制御器と、を備えることを特徴とするロック解除装置。
【請求項１２】
前記装置は、携帯端末であることを特徴とする請求項１１に記載のロック解除装置。
【請求項１３】
前記入力は、前記タッチスクリーンのタッチに対応するジェスチャ、及び前記タッチスクリーンでタッチの特定の動きのうちの少なくとも１つであることを特徴とする請求項１２に記載のロック解除装置。
【請求項１４】
前記少なくとも１つ以上の制御器は、
前記装置のロックを解除する要求として少なくとも１つのジェスチャを保存し、
該当する特定の機能に関連する少なくとも１つのジェスチャをそれぞれ連結することを特徴とする請求項１３に記載のロック解除装置。
【請求項１５】
前記少なくとも１つのジェスチャは該当形状を形成するための前記タッチスクリーンでのタッチの動きを含み、
前記該当形状は、正方形、三角形、円形、及び８字形のうちの少なくとも１つ以上を含むことを特徴とする請求項１４に記載のロック解除装置。
【請求項１６】
前記少なくとも１つ以上の制御器は、
予め定義されたアプリケーションに連結された少なくとも１つのアイコンを表示することを特徴とする請求項１２に記載のロック解除装置。
【請求項１７】
前記タッチスクリーンの予め定義された領域で前記選択されたアイコンのドラッグに該当するジェスチャによって後続する前記少なくとも１つ以上の表示されたアイコンのうちの１つを選択することは、前記装置をロック解除する要求に該当し、
前記入力に関連するアプリケーションは、前記タッチスクリーンの予め定義された領域にドラッグされたアイコンに連結されたアプリケーションに該当することを特徴とする請求項１６に記載のロック解除装置。
【請求項１８】
前記少なくとも１つ以上の表示されたアイコンのうちの１つが円を描くジェスチャに該当するタッチは、前記少なくとも１つ以上の表示されたアイコンのうちの１つを選択することに該当することを特徴とする請求項１７に記載のロック解除装置。
【請求項１９】
前記少なくとも１つ以上の表示されたアイコンのうちの１つに対応する前記タッチスクリーン領域でのタッチは、
前記少なくとも１つ以上の表示されたアイコンのうちの１つを選択することに該当することを特徴とする請求項１７に記載のロック解除装置。
【請求項２０】
前記少なくとも１つ以上の制御器は、
前記装置をロック解除する要求として少なくとも１つのジェスチャを保存し、
該当する特定の機能と少なくとも１つのジェスチャのそれぞれを連結することを特徴とする請求項１６に記載のロック解除装置。
【発明の詳細な説明】
【技術分野】
【０００１】
本発明は、タッチスクリーンを有する装置のアイドル／ロック状態からアクティブ／ロック解除状態に切り替える装置及び方法に関し、より詳細には、アイドル／ロック状態からアクティブ／ロック解除状態に携帯端末を切り替えて入力に関連するアプリケーションを自動的にロードするための入力を受信する装置及び方法に関する。
【背景技術】
【０００２】
携帯端末はユーザ間の無線通信を提供するために開発された。技術が進歩することに伴い、携帯端末は今や単純な電話通話を超えて多くの追加機能を提供する。例えば、携帯端末は、アラーム、ショットメッセージサービス（Ｓｈｏｒｔ  Ｍｅｓｓａｇｉｎｇ  Ｓｅｒｖｉｃｅ：ＳＭＳ）、マルチメディアメッセージサービス（Ｍｕｌｔｉｍｅｄｉａ  Ｍｅｓｓａｇｅ  Ｓｅｒｖｉｃｅ：ＭＭＳ）、Ｅメール、ゲーム、近距離通信の遠隔制御、搭載されたデジタルカメラを使った画像キャプチャ機能、オーディオ及び動画コンテンツのためのマルチメディア機能、スケジューリング機能、そして携帯用電子装置によって提供される類似する他の機能のような追加機能を提供する。提供される多くの特徴により、携帯端末は実質的に日常生活で必需品となっている。
【０００３】
従来のモバイル端末は、ユーザが携帯端末をロック解除できるようにすることに関連する命令を入力する入力手段を含む。例えば、従来の携帯端末は、ユーザがボタンを押すか、タッチスクリーンにスクリーンスワイプジェスチャ（ｓｃｒｅｅｎ  ｓｗｉｐｅ  ｇｅｓｔｕｒｅ）を行うか、又は他の一般的な方法で携帯端末をロック解除することができるように構成される。モバイル装置がロック解除されるか又はアクティブ状態（ａｃｔｉｖｅ  ｓｔａｔｅ）に切り替える際、ユーザはモバイル装置に接続されてモバイル装置を制御するインタフェースを使用する。
【０００４】
従来技術によって携帯端末をロック解除する方法は、独立したプロセスによって行われる。即ち、携帯端末をロック解除する方法は、装置の他の相互動作とは関連がない。従って、携帯端末が従来の技術による方法やインタフェースを使用して、ロック解除されるか又はアクティブ状態に切り替えられると、携帯端末は、ロック解除状態又はアクティブ状態に進み、携帯端末は、最近使用したアプリケーションをロードする。また、携帯端末が従来技術による方法やインタフェースを使用してロック解除されるか又はアクティブ状態に切り替えられると、携帯端末は、ロック解除状態又はアクティブ状態に進み、携帯端末は、ホームスクリーンをロードする。従って、従来技術によって携帯端末をロック解除する方法は、ロック解除状態又はアクティブ状態への進入時にロードされるか又は／及びユーザに表示されるアプリケーションとは関連しない。
【０００５】
従来技術によって携帯端末をロック解除する方法は、相対的に非効率的である。例えば、携帯端末がロックされているか又は非アクティブ状態でユーザが特定の機能のためにモバイル装置を使用しようとする場合、ユーザは、先ず携帯端末をロック解除する方法を使用して携帯端末をロック解除し、その後、希望するアプリケーションをロードするか又は希望する機能を行う命令を入力しなければならない。
【０００６】
図１（ａ）〜（ｃ）は、従来技術による携帯端末インタフェースを示す図である。
【０００７】
図１（ａ）〜（ｃ）を参照すると、携帯端末インタフェース１００はスクリーン１０１を含む。スクリーン１０１は、携帯端末が非活性状態又はロック状態にある場合に、携帯端末インタフェース１００に表示される。スクリーン１０１はロック解除画像１０９も含む。携帯端末をロック解除するために、ユーザは、ロック解除画像１０９を操作して、ロック領域１０５を横切って初期ロック位置１０３からロック解除位置１０７にドラッグする。ロック解除画像１０９を操作するために、ユーザは、タッチスクリーンでロック解除画像１０９をタッチし、ロック解除画像１０９がロック解除位置１０７にドラッグされるまでタッチスクリーンとの接触を維持しながらロック解除画像１０９をドラッグする。ロック解除画像１０９がロック解除位置１０７にドラッグされた時、携帯端末は、アクティブ状態又はロック解除状態に切り替えられる。携帯端末がアクティブ状態又はロック解除状態に切り替えられることによって、携帯端末は、ホームスクリーン又は最近使用したアプリケーションをロードして表示する。
【０００８】
図２は、従来技術による携帯端末をロック解除する方法を示すフローチャートである。
【０００９】
図２を参照すると、携帯端末は、ステップ２０２でユーザによってアクティブにされる。携帯端末がアクティブにされると、携帯端末は、ステップ２０４でロック状態又は非アクティブ状態（ｉｎａｃｔｉｖｅ  ｓｔａｔｅ）にあるか否かを確認する。携帯端末がロック状態又は非アクティブ状態でない場合にステップ２０６に進み、携帯端末は、ユーザから入力を受信する。ステップ２０６で入力が受信された場合にステップ２０８に進み、携帯端末は、受信した入力に該当する命令を行う。
【００１０】
ステップ２０４で携帯端末がロック状態にある場合にステップ２１０に進み、携帯端末は、ユーザからの入力を受信する。ステップ２１０で入力が受信されると、携帯端末は、ステップ２１２で、受信した入力がロック解除入力に該当するか否かを決定する。言い換えると、携帯端末は、受信入力が携帯端末のロックを解除するために定義された入力に該当するか否かを決定する。ステップ２１２で、受信した入力がロック解除入力に該当する場合にステップ２１４に進み、最近使用したアプリケーションをロードする。また、ステップ２１４でホームスクリーンが表示される。ステップ２１２で、受信した入力がロック解除入力に該当しない場合、携帯端末は、他の入力を受信するためにステップ２１０に進む。
【００１１】
従って、携帯端末をアイドル／ロック状態からアクティブ／ロック解除状態に、より効率的に切り替える装置及び方法が必要である。
【００１２】
上記情報は、本発明の理解を助けるための背景情報としてのみ提供される。上記のいずれか１つでも本発明に対して先行技術として適用するか否かについては、いかなる決定も行わず、いかなる主張もしない。
【先行技術文献】
【特許文献】
【００１３】
【特許文献１】韓国特許出願公開第１０−２００９−００６９３４４号明細書
【発明の概要】
【発明が解決しようとする課題】
【００１４】
本発明は、上記従来の問題点に鑑みてなされたものであって、本発明の目的は、アイドル／ロック状態からアクティブ／ロック解除状態に携帯端末を効率的に切り替える装置及び方法を提供することにある。
【課題を解決するための手段】
【００１５】
上記目的を達成するためになされた本発明の一特徴によるタッチスクリーンディスプレイを含む装置をロック解除する方法は、タッチスクリーンに入力を感知するステップと、前記入力が前記装置のロックを解除する要求に該当するか否かを決定するステップと、前記入力が前記装置の機能と関連があるか否かを決定するステップと、前記入力が前記装置のロックを解除する要求に該当する場合に前記装置をロック解除するステップと、前記入力が前記装置の機能と関連がある場合に前記入力に関連するアプリケーションをロードするステップと、を有する。
【００１６】
前記装置は、携帯端末であり得る。
前記入力は、前記タッチスクリーンのタッチに対応するジェスチャ、及び前記タッチスクリーンでタッチの特定の動きのうちの少なくとも１つであり得る。
前記ロック解除方法は、前記装置のロックを解除する要求として少なくとも１つのジェスチャを保存するステップと、該当する特定の機能に関連する少なくとも１つのジェスチャをそれぞれ連結するステップと、を更に含んでもよい。
前記少なくとも１つのジェスチャは該当形状を形成するための前記タッチスクリーンでのタッチの動きを含み、前記該当形状は、正方形、三角形、円形、及び８字形のうちの少なくとも１つ以上を含み得る。
前記ロック解除方法は、予め定義されたアプリケーションに連結された少なくとも１つのアイコンを表示するステップを更に含んでもよい。
前記タッチスクリーンの予め定義された領域で前記選択されたアイコンのドラッグに該当するジェスチャによって後続する前記少なくとも１つ以上の表示されたアイコンのうちの１つを選択することは、前記装置をロック解除する要求に該当し、前記入力に関連するアプリケーションは、前記タッチスクリーンの予め定義された領域にドラッグされたアイコンに連結されたアプリケーションに該当し得る。
前記少なくとも１つ以上の表示されたアイコンのうちの１つが円を描くジェスチャに該当するタッチは、前記少なくとも１つ以上の表示されたアイコンのうちの１つを選択することに該当し得る。
前記少なくとも１つ以上の表示されたアイコンのうちの１つに対応する前記タッチスクリーン領域でのタッチは、前記少なくとも１つ以上の表示されたアイコンのうちの１つを選択することに該当し得る。
前記ロック解除方法は、前記装置をロック解除する要求として少なくとも１つのジェスチャを保存するステップと、該当する特定の機能と少なくとも１つのジェスチャのそれぞれを連結するステップと、を更に含んでもよい。
【００１７】
上記目的を達成するためになされた本発明の一特徴によるロック状態からロック解除状態に切り替える装置は、タッチスクリーンと、前記タッチスクリーンで入力を検出し、前記入力が前記装置のロックを解除する要求に該当するか否かを決定し、前記入力が前記装置の機能と関連があるか否かを決定し、前記入力が前記装置のロックを解除する要求に該当する場合に前記装置をロック解除し、前記入力が前記装置の機能と関連がある場合に前記入力に関連するアプリケーションをロードする少なくとも１つ以上の制御器と、を備える。
【発明の効果】
【００１８】
本発明のロック解除状態に切り替える時に機能又はアプリケーションが自動的にロードされる携帯端末をロック解除する装置及び方法は、携帯端末と携帯端末をロック解除するプロセスの効率性を高めることができる。複数のステップを１つのステップに結合することによって、本発明による携帯端末をロック解除する方法は、ユーザの時間を節約し、そしてユーザが入力するように求められる入力の数を減らす。また、携帯端末をロック解除するアプリケーション、作業（ｔａｓｋ）、入力モードを指定するか連結することによって、本発明はユーザに多くの長所と便宜を提供する。例えば、本発明はロック解除ステップで多重選択事項を許容する。提示された多重選択事項は、ロック解除ステップと結合して、ユーザが特定の設定、プロファイル、状態（ｓｔａｔｅ）、又はアプリケーションを実行できるように許容する。また、多重選択事項は電話を受信するステップと結合できる。
【図面の簡単な説明】
【００１９】
【図１】（ａ）〜（ｃ）は従来技術による携帯端末のインタフェースを示す図である。
【図２】従来技術による携帯端末をロック解除する方法を示すフローチャートである。
【図３】本発明の一実施形態による携帯端末をロック解除する方法を示すフローチャートである。
【図４】本発明の一実施形態による携帯端末をロック解除する方法を構成する方法を示すフローチャートである。
【図５】本発明の一実施形態による携帯端末の構成を簡略に示すブロックダイアグラムである。
【図６】（ａ）、（ｂ）は本発明の一実施形態による携帯端末のインタフェースを示す図である。
【図７】（ａ）、（ｂ）は本発明の他の実施形態による携帯端末のインタフェースを示す図である。
【発明を実施するための形態】
【００２０】
以下、本発明を実施するための形態の具体例を、図面を参照しながら詳細に説明する。図面全般に亘って、参照番号などは同一又は類似の要素、機能及び構造を描写するために用る。そして、本発明を説明するに当たって、関連する公知機能又は構成に対する具体的な説明が本発明の要旨を不必要に不明確にするおそれがあると判断される場合、その詳細な説明を省略する。また、後述する用語は、本発明における機能を考慮して定義された用語であって、これはユーザや運用者の意図又は慣例などに応じて異なることがある。従って、その定義は本明細書全般に亘る内容に基づいて行われるべきである。
【００２１】
本発明の実施形態は、タッチスクリーンディスプレイを含む装置をロック解除する装置及び方法を含む。
【００２２】
本発明の実施形態は、ロック解除するか又は電話を受けるステップと結合して、特定の設定、プロファイル、状態、又はアプリケーションをユーザが開始することを許容するように、様々な選択事項を提供する。ロック解除するか又は電話を受けるステップで、アプリケーション、プロファイル、設定、又は状態選択のうちの１つを選択することによって、ユーザは装置をロック解除することもできる。本発明の実施形態において、装置をロック解除するステップに特別な機能又はアプリケーションを開始するステップを統合することは、便利さや単純さを追加して時間節約ステップを構成する。本発明の実施形態によると、ユーザは、ユーザ環境設定によって、基本選択事項を受諾するか、装置をロック解除するステップで提示された選択事項をカスタマイズして構成できる。例えば、ユーザがロック解除ジェスチャにカメラアプリケーションを割り当て、そのようなロック解除ジェスチャが装置をロック解除するために使われた後、カメラアプリケーションが直ちに開始される。
【００２３】
本発明の実施形態によると、装置をロック解除する方法は、ユーザが予め定義された領域でタッチスクリーン装置と接触して意図するロック解除選択によりタッチをドラッグする。スタート領域又はロック解除領域は形や大きさが異なる場合がある。ユーザがロック解除領域をタッチした場合、装置は選択対象（例えば、ロック解除状態に切り替えられる時に選択された機能やロードされるアプリケーション）をロック解除する。本発明の実施形態によると、ユーザは対象アイコンや領域の方向へ移動しながらタッチスクリーンをタッチし続ける。結果的に、ユーザはタッチジェスチャを介して効果的に２つの領域を連結する。ユーザがこのような相互動作を完了すると、ユーザはタッチスクリーンのタッチを解除する（ｒｅｌｅａｓｅ）。その時、装置はロック解除を行って選択されたロック解除選択（例えば、機能又はアプリケーション）を実行する。本発明の他の実施形態によると、投げ縄ジェスチャ（ｌａｓｓｏｉｎｇ  ｇｅｓｔｕｒｅ）は意図するロック解除選択の周りで行われる。例えば、ユーザがタッチスクリーンをタッチして意図するロック解除選択の周りに円形の模様を描く。
【００２４】
本発明の実施形態によると、視覚的フィードバックは、装置をロック解除しようとする試みの成功又は失敗を示してユーザに提供される。
【００２５】
本発明の実施形態によると、装置をロック解除する方法は、ロック解除を必要とするモバイル装置又は固定装置に使用される。
【００２６】
本発明の実施形態によると、ロック解除選択は、自動で又は手動で設定されるか、或いは解除される。
【００２７】
本発明の実施形態によると、ロック解除選択は、アプリケーションの実行、特定モードの設定、イベントトリガ、ユーザの感情の描写、質問応答などを含む。
【００２８】
本発明の実施形態によると、ロック解除方法は、簡単なジェスチャ又は入力、複雑なジェスチャ又は入力、或いはカスタマイズジェスチャ又は入力で構成される。
【００２９】
本発明の実施形態によると、ロック解除方法はユーザが定義することができる。
【００３０】
本発明の実施形態によると、モバイル装置に応答する方法は、装置をロック解除する方法に類似した機能を含む。例えば、モバイル装置に応答する方法は、アイドル状態及び／又はロック状態から通話に応答する間、環境メニュ（ｃｏｎｔｅｘｔｕａｌ  ｍｅｎｕ）でユーザが選択することを許容する。
【００３１】
図３、本発明の一実施形態による携帯端末をロック解除する方法を示すフローチャートである。
【００３２】
図３を参照すると、本実施形態による携帯端末は、ロック状態からロック解除状態に切り替える時に予め定義された機能又はアプリケーションをロード（例えば、実行（ｌａｕｎｃｈ））する。例えば、携帯端末のロック解除に関連する予め定義された入力を基に、携帯端末は、自動的にロック状態からロック解除状態に切り替える時に予め定義された機能又はアプリケーションをロードする。
【００３３】
携帯端末がロック状態にある場合、携帯端末は、ステップ３０２でタッチスクリーンの入力を感知する。入力はタッチスクリーン上でタッチに対応するジェスチャ又は一連のジェスチャである。
【００３４】
タッチスクリーンで入力が感知されると、携帯端末は、ステップ３０４で、感知された入力が装置をロック解除する要求に対応するか否かを決定する。例えば、携帯端末は、感知された入力が携帯端末をロック解除する以前に定義された入力に対応するか否かを決定する。感知された入力が携帯端末をロック解除する入力に対応しない場合、携帯端末は、携帯端末が追加入力の検出を待つためにステップ３０２に進む。感知された入力が携帯端末をロック解除する入力に対応する場合、携帯端末は、感知された入力が機能や携帯端末に保存されたアプリケーションと関連があるか否かを決定する。
【００３５】
本実施形態によると、携帯端末をロック解除する入力はタッチスクリーンのタッチに対応するジェスチャ又は複数のジェスチャを含む。例えば、携帯端末をロック解除する入力は、選択のためのジェスチャであるか、或いは携帯端末がロック解除状態に切り替える時に希望する機能又はロードされるアプリケーションを確認するジェスチャを含む。他の例として、携帯端末をロック解除する入力は、携帯端末をロック解除するためであることを示すロック解除ジェスチャを含むことができる。携帯端末をロック解除する入力は、選択ジェスチャとロック解除ジェスチャを含み、選択ジェスチャは、携帯端末をロック解除状態に切り替える時に機能又はロードされるアプリケーションを選択し、ロック解除ジェスチャは、携帯端末をロック解除してロック解除状態への切り替えを開始する。
【００３６】
携帯端末は、ステップ３０６で入力が携帯端末に保存された機能又はアプリケーションに連結されているか否かを決定する。本実施形態によると、次の入力が、携帯端末に保存された機能又はアプリケーションに連結されている場合、携帯端末は、ロック解除状態に切り替える時にその機能又はアプリケーションがロードされるようにする。本実施形態によると、図示していないが、次の入力が、携帯端末に保存された機能又はアプリケーションに連結されていない場合、携帯端末は、ロック解除状態に切り替える時にホームスクリーン又は最近使用したアプリケーションをロードする。
【００３７】
携帯端末は、ステップ３０８でロック解除状態に切り替える。ロック解除状態に切り替えられる時に、携帯端末は、ステップ３１０で、入力に関連する機能又はアプリケーションをロードする。例えば、感知された入力が携帯端末をロック解除する入力に対応する場合、ロック解除状態に切り替える時に、携帯端末は、入力に連結された機能又はアプリケーションを自動的にロードする。他の例として、ロック解除状態に切り替える時に、携帯端末は、選択ジェスチャによって選択されたアイコン又は他の表示（ｉｎｄｉｃｉａ）に連結された機能を自動的にロードすることができる。
【００３８】
図４は、本発明の一実施形態による携帯端末をロック解除する方法を構成する方法を示すフローチャートである。
【００３９】
図４を参照すると、本実施形態で、ユーザは携帯端末をロック解除する方法を構成できる。例えば、ユーザが携帯端末をロック解除する方法をカスタマイズできる。言い換えると、ユーザが携帯端末をロック解除する入力を定義することによって、携帯端末は、ロック状態にある時に入力が受信されると携帯端末をロック解除状態に切り替える。
【００４０】
携帯端末は、ステップ４０２でロック解除方法を構成するためにユーザの要求を受信する。携帯端末がロック解除方法を構成する要求を受信すると、携帯端末は、携帯端末をロック解除する要求として保存される入力をユーザが入力するようにユーザに要求する。
【００４１】
携帯端末は、ステップ４０４で携帯端末をロック解除する要求として保存される入力を受信する。言い換えると、携帯端末は、ユーザが携帯端末をロック解除する入力として保存しようとする入力を受信する。本発明において、モバイル装置をロック解除する要求として保存された入力は、定義された機能又はアプリケーションのうちの１つを選択する役割を行うジェスチャを含む。
【００４２】
携帯端末は、ステップ４０６で、携帯端末をロック解除する要求として保存された入力（例えば、携帯端末をロック解除する入力）と、携帯端末がロック状態にある場合、入力受信時にロードされる該当機能に連結するための入力を受信する。例えば、携帯端末は、ユーザが少なくとも１つ以上のジェスチャと機能又はアプリケーションとの間の連結を定義する入力をユーザから受信する。ここで、機能又はアプリケーションは、携帯端末がロック状態にある場合、ジェスチャ入力によってロック状態からロック解除状態に切り替える時にロードされる。
【００４３】
本実施形態によると、モバイル装置をロック解除する要求として保存される入力は、タッチスクリーン上のタッチの動きに対応するジェスチャを含む。言い換えると、ジェスチャは、ユーザがタッチスクリーンと接触を維持することによって、ユーザによって輪郭が現れる形であり得る。例えば、ジェスチャは、円形、四角形、三角形、８字形のような形でタッチスクリーン上にタッチを移動するユーザ操作に対応する。
【００４４】
本実施形態によると、ジェスチャは、タッチスクリーンの特定の領域に対する一連のタップ（ａ  ｓｅｒｉｅｓ  ｏｆ  ｔａｐｓ）に該当する。例えば、ジェスチャは、タッチスクリーンに表示されるアイコン又は他の表示（ｉｎｄｉｃｉａ）上に予め定義されたタップ数に該当する。例えば、ユーザは定義された時間区間内に定義されたタップ数であるジェスチャを定義することができる。例えば、ジェスチャは、互いに１秒以内に或るアイコン又は表示にそれぞれタップ（ｔａｐ）して、アイコン又は他の表示を三回叩くことであると定義できる。
【００４５】
本実施形態によると、ジェスチャは、タッチスクリーンに表示されるアイコン又は他の表示にタッチ又は近接するようにする操作に該当する。例えば、ジェスチャは、少なくとも１つのアイコン又は他の表示に円を描くタッチ（例えば、少なくとも１つのアイコン又は他の表示の周囲に投げ縄（ｌａｓｓｏ）タッチを形成する）に対応する。他の例を挙げると、ジェスチャは、少なくとも１つのアイコン又は他の表示の周囲に定義された形（例えば、四角形、三角形など）を形成するタッチに該当する。ジェスチャは、少なくとも１つ以上のアイコン又は表示のうちの一方のエッジから他方のエッジまでタッチすることに該当する。また、ジェスチャは、少なくとも１つのアイコン又は他の表示を十字架形にタッチすることに該当する。
【００４６】
本実施形態によると、モバイル装置をロック解除する要求として保存される入力は、ロック解除ジェスチャに対応する他のジェスチャに続いて、タッチスクリーンに表示される少なくとも１つのアイコン又は表示の選択に該当するジェスチャを含む。少なくとも１つのアイコン又は表示の選択に対応するジェスチャは、ユーザがロック状態からロック解除状態に切り替える時にロードされることを希望する連結機能又はアプリケーションを識別するために使われる。ロック解除ジェスチャは、ロック状態からロック解除状態に切り替え、そして選択に関連する機能又はアプリケーションのロードをトリガするために使われる。例えば、アイコン又は表示の選択に該当するジェスチャは、アイコン又は他の表示に円を描くタッチである。他の例として、アイコン又は表示の選択に該当するジェスチャは、希望するアイコン又は他の表示にタッチすることである。ロック解除ジェスチャの例は、ロック解除領域に定義されたタッチスクリーンのある領域に、選択されたアイコン又は他の表示をドラッグすることに対応するタッチである。
【００４７】
携帯端末が装置をロック解除する要求として保存された入力を受信した後、携帯端末は、関連する機能又はロードされるアプリケーションに対応する入力を受信し、入力及び連結されたロードされる機能又はアプリケーションを保存する。
【００４８】
本実施形態によると、携帯端末は、携帯端末をロック解除する多数の入力を保存し、多数の入力のそれぞれに対する該当機能又はアプリケーションの少なくとも１つの連関関係（ａｓｓｏｃｉａｔｉｏｎ）を保存する。携帯端末が入力に関連するロードされる機能又はアプリケーションを保存した後、携帯端末は、ユーザが新しい入力及び該当する関連機能又はアプリケーションとの連結を定義することを希望するか否かを要求する。ステップ４０８で、携帯端末は、ユーザが異なる入力に該当する関連機能又はアプリケーションとの連関関係を定義することに関する入力を受信する。携帯端末は、ユーザから異なる入力を定義しようとする指示を受信するとステップ４０４に進む。携帯端末は、ユーザから異なる入力を定義しないという指示を受信した場合、携帯端末をロック解除する方法を構成する手順を終了する。
【００４９】
図５は、本発明の一実施形態による携帯端末の構成を簡略に示すブロックダイアグラムである。
【００５０】
図５を参照すると、本実施形態による携帯端末５００は、オーディオ処理部５５０、入力部５４０、表示部５３０、保存部５２０、及び制御器５１０を含む。例えば、このような構成を有する携帯端末５００は、ロック解除状態に切り替える時に特定の機能又はアプリケーションをロードする。携帯端末５００は、入力部５４０を介して入力された信号を基にロック解除状態に切り替える。
【００５１】
本実施形態によると、携帯端末５００は、携帯端末５００をロック解除する入力を定義するように構成される。携帯端末５００は、表示部５３０及び入力部５４０を介してユーザと携帯端末５００との間の相互動作に基づいて構成される。携帯端末５００は、携帯端末５００をロック解除する入力が入力部５４０を介して入力された時にロック解除状態に切り替え、携帯端末５００をロック解除する特別な入力に連結された以前に定義された機能又はアプリケーションを自動的にロードする。以下、携帯端末５００の各構成要素を詳細に説明する。
【００５２】
オーディオ処理部５５０は、音響構成要素で構成される。オーディオ処理部５５０は、オーディオ信号を伝送して受信する。そして、オーディオ信号をエンコード及びデコードする。例えば、オーディオ処理部５５０は、コーデック（ＣＯＤＥＣ）とオーディオ増幅器を含む。オーディオ処理部５５０は、マイクＭＩＣとスピーカＳＰＫに連結されている。オーディオ処理部５５０は、マイクＭＩＣから入力されたアナログ音声信号をデジタル音声信号に変換し、デジタル音声信号に該当するデータを生成して制御器５１０へデータを伝送する。また、オーディオ処理部５５０は、制御器５１０から入力されたデジタル音声信号をアナログ音声信号に変換し、スピーカＳＰＫを介してアナログ音声信号を出力する。また、オーディオ処理部５５０は、スピーカＳＰＫを介して携帯端末５００で生成された様々なオーディオ信号を出力する。例えば、オーディオ処理部５５０は、オーディオファイル（例えば、ＭＰ３ファイル）の再生、動画ファイルの再生などに該当するオーディオ信号を、スピーカを介して出力する。特に、本発明において、携帯端末をロック解除するために予め定義された入力がサウンドに該当する場合、携帯端末をロック解除する入力はオーディオ処理部５５０を介して入力される。
【００５３】
入力部５４０は、ユーザ入力を受信するための入力キー及び機能キーを含む。例えば、入力部５４０は、数字又は様々な文字情報の入力を受信するか又は様々な機能を設定し、携帯端末５００の機能を制御するための入力キーや機能キーを含む。例えば、入力部５４０は、音声通話を要求する通話キー、ビデオ通話を要求するビデオ通話キー、音声通話又はビデオ通話の終了を要求する終了キー、オーディオ信号のボリュームを調整するボリュームキー、方向キーなどを含む。本発明において、特に入力部５４０は、携帯端末５００をロック解除する入力に関連する信号を制御器５１０に伝送する。そのような入力部５４０は、タッチパッド、タッチスクリーン、ボタン型のキーパッド、ジョイスティック、ホイールキー（ｗｈｅｅｌ  ｋｅｙ）などのような入力手段の結合によって形成される。
【００５４】
表示部５３０は、ユーザによって入力された情報又はユーザだけでなく携帯端末５００の様々なメニューに提供される情報を表示する。例えば、表示部５３０は、アイドルスクリーン、メッセージ作成スクリーン、呼び出しスクリーンのような携帯端末５００のユーザに様々なスクリーンを提供する。特に、本実施形態において、表示部５３０は、ロックスクリーン及び／又は携帯端末５００をロック解除する方法を構成するスクリーンを表示する。例えば、表示部５３０は、ユーザが携帯端末５００をロック解除するためのインタフェースを表示する。例えば、表示部５３０は、ユーザが携帯端末５００をロック解除する入力を行うために、タッチスクリーンを介して入力を操作するか又は入力できるインタフェースを表示する。表示部５３０は、液晶ディスプレイ（Ｌｉｑｕｉｄ  Ｃｒｙｓｔａｌ  Ｄｉｓｐｌａｙ：ＬＣＤ）、有機発光ダイオード（Ｏｒｇａｎｉｃ  Ｌｉｇｈｔ  Ｅｍｉｔｔｉｎｇ  Ｄｉｏｄｅ：ＯＬＥＤ）、能動型有機発光ダイオード（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅ：ＡＭＯＬＥＤ）などで構成される。しかし、本実施形態はこのような制限に限定されない。表示部５３０がタッチスクリーンで形成される場合、表示部５３０は、入力部５４０の機能を行うことができる。
【００５５】
本実施形態において、保存部５２０は、オペレーティング機能（ｏｐｅｒａｔｉｎｇ  ｆｕｎｃｔｉｏｎｓ）を行うプログラムだけでなく、ユーザデータを保存する。例えば、保存部５２０は、携帯端末５００の一般的な動作を制御するプログラム、携帯端末５００をブートするオペレーティングシステム（ＯＳ）、そして、カメラ機能、サウンド再生機能、画像又は動画再生機能、ＮＦＣ（Ｎｅａｒ  Ｆｉｅｌｄ  Ｃｏｍｍｕｎｉｃａｔｉｏｎ）機能のような他の選択的機能を行うアプリケーションを保存する。また、保存部５２０は、携帯端末のユーザによって生成されるユーザデータ（例えば、ショットメッセージ、ゲームファイル、音楽ファイル、動画ファイルなど）を保存する。特に、本発明において、保存部５２０は、携帯端末をロック解除する入力と携帯端末５００がロック解除状態に切り替える時にロードされる機能又はアプリケーションをマッピングして保存するテーブルを保存することができる。例えば、保存部５２０は、携帯端末５００をロック解除する少なくとも１つの入力と、携帯端末５００をロック解除状態に切り替える時に自動的にロードされる予め定義された機能又はアプリケーションとの間の連関関係を保存する。
【００５６】
本実施形態において、携帯端末５００は、少なくとも１つの制御器５１０を含んで構成される。少なくとも１つの制御器５１０は、携帯端末５００の一般的な動作を制御する。例えば、制御器５１０は、携帯端末５００に含まれる様々な構成要素又はユニットの動作を制御する。制御器５１０は、携帯端末５００に含まれる様々な構成要素に信号を伝送して携帯端末５００の内部ブロック間の信号の流れを制御する。特に、本実施形態で、制御器５１０は、ロック解除状態に切り替える時に入力部５４０を介して入力された携帯端末５００をロック解除する入力に関連する予め定義された機能又はアプリケーションをロード（例えば、実行）するように制御する。このため、制御器５１０は、入力部５４０を介して入力された入力が携帯端末５００をロック解除する入力に該当するか否かを決定し、携帯端末５００をロック解除する入力がロック解除状態に切り替える時にロードされる関連機能又はアプリケーションであるかを決定し、保存部５２０に保存された連関関係を基に、ロック解除状態に切り替える時に関連機能又はアプリケーションをロードする。
【００５７】
図６（ａ）、（ｂ）は、本発明の一実施形態による携帯端末のインタフェースを示す図である。
【００５８】
図６（ａ）を参照すると、携帯端末のディスプレイ装置は、携帯端末インタフェース６００を表示する。携帯端末インタフェース６００はスクリーン６０１を含む。スクリーン６０１は、携帯端末が非アクティブ又はロック状態にある場合に携帯端末インタフェース６００に表示される。スクリーン６０１は、ロック解除領域６１０とスタート領域６３０を含む。本実施形態において、スタート領域６３０は、携帯端末がロック解除状態に切り替える時にロードされる機能又はアプリケーションに連結された少なくとも１つ以上のそれぞれのアイコン又は表示６２０ａ〜６２０ｇを含む。例えば、携帯端末は、スタート領域６３０からロック解除領域６１０に少なくとも１つのアイコン又は表示６２０ａ〜６２０ｇがドラッグされると、ロック状態からロック解除状態に切り替える。言い換えると、携帯端末は、携帯端末をロック解除する入力が入力された時にロック解除状態に切り替え、この時、アイコン又は表示６２０ａ〜６２０ｇがユーザにより選択されて（例えば、選択ジェスチャを介して）スタート領域６３０からロック解除領域６１０にドラッグされる（例えば、ロック解除ジェスチャを介して）。例を挙げると、ユーザがタッチジェスチャ（例えば、アイコン又は表示６２０ａ〜６２０ｇがドラッグされる）を介して、ロック解除領域６１０とスタート領域６３０を効果的に連結する。
【００５９】
図６（ｂ）を参照すると、スクリーン６０１は、ユーザによって構成されるか又はカスタマイズされる。本実施形態によると、ユーザは、ロック解除領域６１０の大きさを変更でき、ロック解除領域６１０の形を変更でき、スクリーン６０１でのロック解除領域の位置を変更できる。本実施形態において、ユーザは、スタート領域６３０の大きさを変更でき、スタート領域６３０の形を変更でき、スタート領域６３０の位置を変更でき、アイコン又は表示６２０ａ〜６２０ｇの配列を変更できる。
【００６０】
本実施形態によると、意図しない携帯端末のロック解除を防止するか又は携帯端末をロック解除するプロセスを作るために、ユーザは、ロック解除領域６１０、スタート領域６３０、そしてアイコン又は表示６２０ａ〜６２０ｇの構成や配列を定義することができる。例えば、スタート領域６３０及び／又はロック解除領域６１０の大きさは、携帯端末のロック解除を容易にするために増大できる。反対に、スタート領域６３０及び／又はロック解除領域の大きさは、携帯端末のロック解除を難しくすることによって、意図しない携帯端末のロック解除が発生する可能性を減らすことができる。他の例として、スタート領域６３０とロック解除領域６１０との間の距離が増加されるか又は減少され得る。
【００６１】
本実施形態によると、アイコン又は表示６２０ａ〜６２０ｇが追加されるか或いはスタート領域６３０から除去され得る。ユーザは、それぞれのアイコン又は表示６２０ａ〜６２０ｇに連結された機能又はアプリケーションを構成できる。このため、ユーザはロック解除状態に切り替える時にアイコン又は表示６２０ａ〜６２０ｇのそれぞれに対してどのような機能又はアプリケーションが直ちにロードされるかをカスタマイズできる。また、ユーザは、それぞれのアイコン又は表示６２０ａ〜６２０ｇに関連して表示された形、大きさ、又はグラフィックを構成できる。
【００６２】
図７（ａ）、（ｂ）は、本発明の他の実施形態による携帯端末のインタフェースを示す図である。
【００６３】
図７（ａ）を参照すると、携帯端末のディスプレイ装置は、携帯端末インタフェース７００を表示する。携帯端末インタフェース７００はスクリーン７０１を含む。携帯端末が非アクティブ状態又はロック状態にある場合、スクリーン７０１は、携帯端末インタフェース７００に表示される。スクリーン７０１はスタート領域７３０を含む。本実施形態において、スタート領域７３０は、携帯端末がロック解除状態に切り替える時にロードされる機能又はアプリケーションにそれぞれ関連がある少なくとも１つ以上のアイコン又は表示７２０ａ〜７２０ｅを含む。例えば、携帯端末は、携帯端末をロック解除する入力によってロック状態からロック解除状態に切り替える。例えば、携帯端末をロック解除する入力は、アイコン又は表示７２０ａ〜７２０ｅ上に、或いはアイコン又は表示７２０ａ〜７２０ｅに近接した範囲に形成されるジェスチャに該当する。
【００６４】
本実施形態によると、携帯端末をロック解除する入力は、ロック解除状態に切り替える時にロードされることを希望する機能又はアプリケーションに関連する選択されたアイコン又は表示７２０ａ〜７２０ｅの周囲に形成される投げ縄タッチ入力（ｔｏｕｃｈ  ｌａｓｓｏ  ｉｎｐｕｔ）７４０に該当するタッチスクリーン上のタッチに該当する。言い換えると、携帯端末は、携帯端末をロック解除する入力が行われる時にロック解除状態に切り替えるようにし、ユーザは、選択されたアイコン又は表示７２０ａ〜７２０ｅの周辺に投げ縄を形成する。他の実施形態において、携帯端末をロック解除する入力は、アイコン又は表示７２０ａ〜７２０ｅのうちの１つが周囲にユーザが形（例えば、円形、四角形、三角形など）を形成するタッチに該当する。他の実施形態において、携帯端末をロック解除する入力は、ユーザが携帯端末をロック解除する予め定義された入力に該当するアイコン又は表示７２０ａ〜７２０ｅの一連のタップ（ａ  ｓｅｒｉｅｓ  ｏｆ  ｔａｐｓ）を入力するタッチに該当する。また、他の実施形態において、携帯端末をロック解除する入力は、十字架形を形成するために又は選択されたアイコン７２０ａ〜７２０ｅを介してスクラッチモーション（ｓｃｒａｔｃｈｉｎｇ  ｍｏｔｉｏｎ）を形成するためにユーザがアイコン又は表示７２０ａ〜７２０ｅに一連のタッチを入力するタッチに対応する。
【００６５】
図７（ｂ）を参照すると、スクリーン７０１は、ユーザによって設定されるか又はカスタマイズされる。本実施形態において、ユーザは、スタート領域７３０の大きさを変更でき、スタート領域７３０の形を変更でき、スタート領域７３０の位置を変更でき、アイコン又は表示７２０ａ〜７２０ｅの配列を変更できる。
【００６６】
本実施形態において、ユーザは、スタート領域７３０、及びアイコン又は表示７２０ａ〜７２０ｅの構成や配列を定義することができる。
【００６７】
本実施形態において、アイコン又は表示７２０ａ〜７２０ｅは、追加されるか又はスタート領域７３０から除去される。ユーザは、アイコン又は表示７２０ａ〜７２０ｅにそれぞれ関連する機能又はアプリケーションを構成できる。このため、ユーザは、ロック解除状態に切り替える時にどのような機能又はアプリケーションが直ちにロードされるかをカスタマイズすることができる。ユーザは、アイコン又は表示７２０ａ〜７２０ｅのそれぞれに関連して表示された形、大きさ、又はグラフィックを構成できる。
【００６８】
本発明の実施形態において、携帯端末をロック解除する方法は、様々なコンピュータ手段によって実行プログラム命令の形態に具現することができ、コンピュータ読み取り可能な記録媒体に記録される。コンピュータ読み取り可能な記録媒体は、プログラム命令、データファイル、そして個別的なデータ構造又はその組み合わせを含む。記録媒体に記録されたプログラム命令は、本発明の実施形態のために特別にデザインされるか、構成されるか、又はコンピュータソフトウェア分野の通常的な技術を持つ者に知られているものである。
【００６９】
コンピュータ読み取り可能な記録媒体は、ハードディスク、フロッピー（登録商標）ディスク又は磁気テープ、ＣＤ−ＲＯＭ又はＤＶＤ、フロプティカルディスク、及びＲＯＭ、ＲＡＭ、プログラム命令語を保存し実行するフラッシュメモリのようなハードウェアデバイスの光磁気メディア又はマグネティック媒体を含む。また、プログラム命令は、コンパイラを介して生成される機械語コード及びインタープリタを使用してコンピュータを介して実行可能な高級言語コードを含む。ハードウェア装置は、本発明の実施形態の動作を行うために少なくとも１つのソフトウェアモジュールで作動するように構成される。
【００７０】
以上、図面を参照しながら本発明の実施形態を説明したが、本発明は、上述の実施形態に限定されるものではなく、本発明の技術的範囲から逸脱しない範囲内で多様に変更実施することが可能である。
【符号の説明】
【００７１】
１００、６００、７００    携帯端末インタフェース
１０１、６０１、７０１    スクリーン
１０３    初期ロック位置
１０５    ロック領域
１０７    ロック解除位置
１０９    ロック解除画像
５００    携帯端末
５１０    制御器
５２０    保存部
５３０    表示部
５４０    入力部
５５０    オーディオ処理部
６１０    ロック解除領域
６２０ａ〜６２０ｇ、７２０ａ〜７２０ｅ    アイコン又は表示
６３０、７３０    スタート領域
【図１】
2013045470.tif 000003
【図２】
2013045470.tif 000004
【図３】
2013045470.tif 000005
【図４】
2013045470.tif 000006
【図５】
2013045470.tif 000007
【図６】
2013045470.tif 000008
【図７】
2013045470.tif 000009